(57)【要約】【課題】  洋式或は和式トイレで、用便中にズボンがずり落ちて便器或はトイレの床にズボンが接触して汚れることを防止し得るズボンを目的とする。【解決手段】  ズボン１のウエストベルト２の内側のほぼ中央部に伸縮自在のバンド３を配置し、そのバンド３の元部３ａをウエストベルト２の内側に固定し、かつバンド３の先端部３ｂに係止穴４を設け、さらに該バンド３の先端部３ｂに対応するウエストベルト２の内側の所定位置に、ズボン１の前側に予め設けられたフック５ａと同一のフック５ａを取付けて構成したズボンの構造である。【選択図】      図１
2005290567.tif 000002
【特許請求の範囲】
【請求項１】
ズボンのウエストベルト内側のほぼ中央部にバンドの元部を固定し、かつ該バンドの先端部にフック、ボタン、止め金具等の係止具が挿入係止し得る係止穴を設け、かつ前記ウエストベルト内側の所定位置に係止具を設けて構成したことを特徴としたズボン。
【請求項２】
前記ウエストベルト内側に取付けられたバンドの表面にすべり止め加工を施して構成したことを特徴とした請求項１のズボン。
【請求項３】
前記バンドの先端部に係止穴と並列して止め金具を設けて構成したことを特徴とした請求項１或は請求項２のズボン。 
【発明の詳細な説明】
【技術分野】
【０００１】
本発明は、トイレで用便中に不必要以上にずり下がることを防止し得るズボンに係り、特にズボンのウエストベルト内側に取付けたバンドの先端を予めズボンの前側に設けられたフック、止め金具等の係止具に係止して用便中にズボンが不必要にずり下がることを防止可能としたズボンに関するものである。
【背景技術】
【０００２】
従来のこの種の裾上げを目的としたパンタロン、キュロット等のパンツの公知例としては、特開平９−１１１５２３号公報（特許文献１）、特開平１０−１１０３０７号公報（特許文献２）が知られている。
【０００３】
前記特許文献１の技術は、パンタロン、キュロット等のパンツの裾部所定位置に伸縮自在なループ状紐を取付け、かつこの裾部のループ状紐を取付けた位置と対応する位置にボタンを取付け、トイレで用便する際に、前記ループ状紐を前記ボタンに引掛けることによって前記裾部を締付けて、この裾部が用便中にずり下がって汚れることを防止し得るようにしたパンツ裾上げ具の技術である。
【０００４】
また、前記特許文献２の技術は、パンタロン、キュロット等のパンツの一方の裾部の内股所定位置にボタンを取付け、かつ該パンツの他方の裾部内股所定位置に綿テープボタン掛けを取付け、トイレで用便する際に、該綿テープボタン掛けをボタンに掛け止めすることによって、左右の裾部を引き寄せて左右両側の裾部が不必要にずり落ちて汚れることを防止するようにしたパンツトイレすそダウンストッパーに関する技術である。
【０００５】
さらに、本件特許出願人が開発して特許出願した特開２００２−６１００１号公報（特許文献３）に示すように、裾上げが出来る下着の技術も知られている。この技術に係る下着の構成は、下着の後側上部に所定の長さの紐またはテープを取付けると共に、該下着の前側上部にフック、ホック等の係止具を取付け、使用に当って前述の紐またはテープを内股にくぐらせながら下着の前側に持って来て、前述の係止具に掛け止めすることによって下着のほぼ中央部を絞り込んで、着用者の脚に密着させてその摩擦によって下着がずり落ちないようにした技術である。
【０００６】
【特許文献１】特開平９−１１１５２３号公報
【特許文献２】特開平１０−１１０３０７号公報
【特許文献３】特開２００２−６１００１号公報
【発明の開示】
【発明が解決しようとする課題】
【０００７】
然るに、前述の特許文献１の技術は、左右両側の裾部に紐とボタンを夫々別々に取付けなければならないと共に、使用に当っても左右両側の裾部を操作しなければならず煩雑である問題があった。かつ、裾部の表側にこれ等の紐とボタンとを取付けた場合には、外観的に極めて体裁が悪くなり、一方でその欠点を解決するために裾部の裏側にこれ等の紐とボタンとを取付けた場合には、使用時に裾部を完全に裏返した後からでないと操作が出来ない等の多くの問題があった。
【０００８】
また、前述の特許文献２の技術の場合には、パンツの裾部内股にボタンと綿テープボタン掛けとを取付けなければならないので、体裁が極めて悪くなる問題があった。また、綿テープボタン掛けをボタンに係止した場合には、パンツの左右の裾部が夫々密接された状態になるので、パンツを着用したままでは股を開脚することが出来なくなり、従って、洋式のトイレは使用出来るが、和式のトイレは使用することが出来なくなる等の問題があった。
【０００９】
さらに、前記特許文献３の技術の場合には、下着の後側上部に取付けた紐またはテープを下から内股にくぐらせながら前側に持って来て、該紐またはテープを前側に設けた係止具に掛け止めしなければならないので、操作が煩雑でわずらわしい問題があった。また、下着の布地は薄布であるので、紐またはテープの取付部、或は係止具の取付部が夫々傷み易く、長期の使用に耐えられなくなる問題があった。
【００１０】
本発明に係るズボンは、前述の従来の多くの問題に鑑み開発された全く新しい技術であって、特にズボンのウエストベルトの内側中央にバンドの元部を固定し、かつ該バンドの先端部に係止穴を設け、使用時にバンドの先端を予めズボンの前側に設けられたフック、止め金具等の係止具に掛け止めして、用便中にズボンが不必要にずり下がることを防止した技術を提供するものである。
【課題を解決するための手段】
【００１１】
本発明に係るズボンは、前述の問題点を根本的に改善した技術であって、その第１発明の要旨は、ズボンのウエストベルト内側のほぼ中央部にバンドの元部を固定し、かつ該バンドの先端部にフック、ボタン、止め金具等の係止具が挿入係止し得る係止穴を設け、かつ前記ウエストベルト内側の所定位置に係止具を設けて構成したことを特徴としたズボンである。
【００１２】
前記本発明に係る第１発明のズボンは、前述のように、先端部に係止穴を有するバンドの元部をウエストベルト内側のほぼ中央部に固定し、かつウエストベルトの所定位置に係止具を設けて構成したので、通常の状態に於ては、バンドの先端部の係止穴を該ウエストベルトに取付けられた係止具に掛け止めしてバンドをウエストベルトの内周面に密着させておくことが出来る。
【００１３】
また、用便をする時にズボンを脚に沿ってずり下げる際には、バンドの先端部の係止穴をウエストベルトの係止具よりはずし、このバンドの先端部の係止穴とズボンの前側に予め取付けられているフック、ボタン、止め金具等の係止具とを利用して掛け止めし、ウエストベルトの一部とバンドとによって片方の脚の一部を締め付けることにより、ずりさげたズボンが脚の下方にずり落ちることを防止出来る。
【００１４】
本発明に係るズボンの第２発明の要旨は、前記ウエストベルト内側に取付けられたバンドの表面にすべり止め加工を施して構成したことを特徴とした第１発明のズボンである。第２発明のズボンに於ては、ウエストベルト内側に取付けられたバンドの表面にゴム等ですべり止め加工をしたので、ズボンを着用した際に、該バンドをシャツに密着させることが出来る。
【００１５】
本発明に係るズボンの第３発明の要旨は、前記バンドの先端部に係止穴と並列して止め金具を設けて構成したことを特徴とした第１発明或は第２発明のズボンである。第３発明のズボンに於ては、バンドの先端部に係止穴と並列して止め金具を取付けたので、必要に応じてこの並列に設けられた止め金具をウエストベルトの内側に取付けられた係止具に係止することによって、ウエストベルトのサイズを小さく詰めたり拡げたり調整して、ズボンのウエストを着用者の腰に密着させることが出来る。
【発明の効果】
【００１６】
本発明に係る第１発明のズボンに於ては、ウエストベルトのほぼ中央部にバンドの元部を固定し、かつバンドの先端部に設けた係止穴をウエストベルトの所定位置に取付けた係止具に着脱自在に係止することが出来るようにしたので、用便に当たってズボンをずり下げた際には、バンドの先端部をウエストベルトの係止具より簡単に取り外すことが出来る。
【００１７】
そして、次にバンドの先端部をズボンの前側に予め取付けられているフック、止め金具等の係止具に係止し、該バンドとウエストベルトの一部とで脚を締め付けることで、ズボンが不必要にずり下がることを防止することが出来る。従って、本発明のズボンを用いることによって、ズボンの裾がトイレの床や和式便器等に接触して汚れることを防止出来る。前述のようにバンドの先端部をズボンの前側の係止具に係止した場合には、ウエストベルトの一部とバンドとによって片側の脚を締め付けるので、着用者はそのまま股を大きく開くことが出来、洋式便器のみならず和式便器での用便も容易に行うことが出来る等の多大の効果を有している。
【００１８】
また、前記第２発明のように、ズボンのウエストベルトの内側に設けられたバンドの表面にすべり止め加工をした場合には、バンドを介してズボンのウエストをシャツに密着させ、ズボンがずり下がることを防止出来る。またバンドを伸縮性のあるものにした場合には、しゃがんだり前屈みしたときに伸縮性のバンドがシャツと共に上下動するので、つっぱり感を解消することが出来る。
【００１９】
さらに、前記第３発明のように、バンドの先端部に係止穴と並列して止め金具を設けた場合には、この止め金具をウエストベルトの内側に取付けられた係止具に掛け止めすることによって、ウエストを小さく詰めたり拡げたり調整することが出来る。従って、ズボンのウエストを着用者の腰に密着させるので、ベルト等を使用せずにズボンを着用することも出来る。
【発明を実施するための最良の形態】
【００２０】
図により本発明に係るズボンの一実施例を具体的に説明すると、図１は本発明に係るズボンの要部の斜視図、図２はウエストベルトに固定されたバンドと係止具との関係を示す説明図、図３はバンドを用いて脚を締め付ける状態の説明図、図４はボタンを係止具とした場合の説明図である。
【００２１】
図５はバンドの表面にすべり止め加工を施した状態の説明図、図６はバンドの先端部に複数の止め金具を設けた状態の説明図、図７は図１のズボンを使用する状態の説明図である。
【００２２】
図１に於て、１は本発明に係るズボンであって、そのズボン１のウエストベルト２の内側のほぼ中央部（ズボンの後部中央部）には伸縮自在なバンド３が配設されると共に、このバンド３の元部３ａは、縫着固定されている。該バンド３の先端部３ｂには係止穴４が設けられている。
【００２３】
また、前記ウエストベルト２の内側の所定位置、即ちバンド３の先端部３ｂの係止穴４に対応する位置には、該係止穴４に挿入係止し得るフック５ａからなる係止具が取付けられている。ズボン１の前側上部には、通常のズボンと同様にウエストベルト２を着用者の腰に締め付けるための一対のフック５ａと止め金具５ｂよりなる係止具が取付けられている。６はウエストベルト２の外側に設けられたバンド通しである。
【００２４】
図２に於て、バンド３の先端部３ｂとフック５ａとの関係について説明する。フック５ａは前述の説明でも明らかなように、ズボン１の前側に取付けられているフック５ａと同一のものが使用されている。そして、バンド３の先端部３ｂの係止穴４に該フック５ａを挿入してバンド３の先端部３ｂを固定することが出来るように構成されている。また、フック５ａの取付け位置は、伸縮し得るバンド３が少し引っ張られるような位置に取付けられている。
【００２５】
バンド３の元部３ａは左右反対にして、女性用ズボン等に対応させることも可能である。さらに、前記実施例に於ては、バンド３の先端部３ｂに係止穴４を有する金具を取付けたが、バンド３の先端部３ｂに係止穴４を直接設けて(図示せず)構成することも可能であり、またバンド３の先端部3bのウエストベルト側に止め金具５ｂ取付けて(図示せず)構成することも可能である。
【００２６】
図３に於て、本発明に係るズボン１の使用例を説明する。ズボン１の裾が床に触れないように予めズボン１の裾をたくし上げておいてから、前述の図２（ｂ）に示す如く、ずり下げたズボン１のバンド３の先端部３ｂをフック５ａよりはずして、該バンド３の先端部３ｂをズボン1の前側のウエストベルト２の内側に設けられたフック５ａまで移動し、バンド３の先端部３ｂに設けられた係止穴４を前記フック５ａに掛け止めすることによって、着用者の脚７をウエストベルト２の一部とバンド３とによって締め付けて、ズボン１が脚７よりずり下がることを防止出来る。前記実施例に於ては、バンド３の先端部３ｂの係止穴４をフック５ａに係止したが、バンド３の元部３ａの固定位置を左右逆に換え、かつバンド３の先端部３ｂにフック５ａを取付けるとによって、該先端部３ｂのフック５ａをズボン１の前側の止め金具５ｂに係止することも可能である。
【００２７】
図４に示す実施例は、ズボン１の前側に取付けられた係止具がボタン５ｃである場合に対応させた実施例である。この場合には、バンド３の先端部３ｂにボタンホール５ｄを設けると共に、フック５ａに係止し得る止め金具５ｂを該先端部３ｂに取付けることによって実施することが出来る。
【００２８】
即ち、ウエストベルト２のフック５ａに係止されたバンド３の止め金具５ｂを外して図３（ｂ）に示すと同様にバンド３の先端部３ｂをズボン１の前側に移動し、その先端部３ｂに設けられたボタンホール５ｄをボタン５ｃに掛け止めることで、着用者の脚をウエストベルトの一部とバンドとによって締め付けて、ズボンが脚よりずり下がることを防止出来る。
【００２９】
図５（ａ）に示す実施例は、ウエストベルト２の内側に取付けられたバンド３の表面にすべり止め加工を施した実施例であり、図５（ａ）の場合には、すべり止め用ゴム８がバンド３の表面に塗着されている。従って、着用したシャツ９がバンド３の表面に接触した場合には、前記すべり止め用ゴム８の作用によりバンド３がシャツ９に密着し、ズボン１がずり下がることを防止出来る。また、しゃがんだり前屈姿勢の際にシャツ９が上方に引っ張られるが、そのときにはバンド３が伸縮性を有しているので、図５（ｂ）に示す如く、バンド３もシャツ９と共に上方へ上がるので、つっぱり感を解消出来る。そして姿勢を元に戻すと共に伸縮性のあるバンドも元の位置に戻ることが出来る。
【００３０】
図６（ａ）、（ｂ）に示す実施例は、バンド３の先端部３ｂの所定個所に止め金具５ｂを取付けた実施例である。図の場合には、２個の止め金具５ｂが所定の間隔を保って、係止穴４と並列して係止穴４よりも元部３ａ側に設けられている。このように止め金具５ｂを係止穴４とは別に設けた場合には、この止め金具５ｂを利用して止め金具５ｂをフック５ａに掛け止めすることによって、ウエストベルト２の内径を小さく詰めたり拡げたり調整することが出来る。従って、ズボン１を着用者の腰に密着することが出来る。
【００３１】
本発明に係るズボンは、前述の構成と作用とを有するので、図７（ａ）に例示する如く、ズボンの裾を床で汚したり、汚れた便器１１にズボン１が触れる恐れがある場合にも、図７（ｂ）に示す如く、ズボン１を脚７の途中に固定することによって、ズボンの裾を上げることができ、ズボン１が便器１１に接触することを防止出来る。また着用者１０は用便中にズボン１を手で押える必要がなく、便器１１にまたがりながら、両手を使用して本１２等をゆっくり読んだり、トイレットペーパー（図示せず）を切り取って折り畳む際にも両手の使用が可能である。
【産業上の利用可能性】
【００３２】
本発明に係るズボンは、用便中にズボンが脚からずり落ちることを防止し、かつ両手を自由に使用することが出来る外に、ズボンのウエストを詰めたり、或はズボンをシャツ等に密着させることによって、ズボンのベルトを不要にしたり、或はズボンの着用感触を良好にすることが出来る。
【図面の簡単な説明】
【００３３】
【図１】本発明に係るズボンの要部の斜視図である。
【図２】バンドと係止具との関係を示す説明図である。
【図３】バンドを用いて脚を締め付ける状態の説明図である。
【図４】ボタンを係止具とした場合の説明図である。
【図５】バンドの表面にすべり止め加工を施した状態の説明図である。
【図６】バンドの先端部に複数の止め金具を設けた状態の説明図である。
【図７】図１のズボンを使用する状態の説明図である。
【符号の説明】
【００３４】
１      ・・・ズボン
２      ・・・ウエストベルト
３      ・・・バンド
３ａ    ・・・元部
３ｂ    ・・・先端部
４      ・・・係止穴
５ａ    ・・・フック
５ｂ    ・・・止め金具
５ｃ    ・・・ボタン
５ｄ    ・・・ボタンホール
６      ・・・バンド通し
７      ・・・脚
８      ・・・すべり止め用ゴム
９      ・・・シャツ
１０    ・・・着用者
１１    ・・・便器
１２    ・・・本
【図１】
2005290567.tif 000003
【図２】
2005290567.tif 000004
【図３】
2005290567.tif 000005
【図４】
2005290567.tif 000006
【図５】
2005290567.tif 000007
【図６】
2005290567.tif 000008
【図７】
2005290567.tif 000009